(57)【要約】【課題】  前枠および遊技盤等の重さを十分に支え得る下蝶番固定部を備える遊技機の外枠を提供する。【解決手段】  幕板６と下蝶番固定部７を有する遊技機の外枠であって、幕板６は、幕板６の前壁を構成する前壁部６ｂと、幕板６の後壁を構成する後壁部６ｃと、これら前壁部６ｂと後壁部６ｃの上端部間に形成された上面部６ａとを備えている。そしてこれら前壁部６ｂと後壁部６ｃと上面部６ａと架橋部６ｄとの間に形成された隙間６ｅ内に取付部材８が配設される。下蝶番固定部７は、幕板６の上面部６ａの上面に当接される水平板部７ａを有し、水平板部７ａが幕板６の上面部６ａを貫通する締結部１５によって取付部材８と締結され、これによって下蝶番固定部７が幕板６に固定されている。【選択図】        図４
2006326049.tif 000002
【特許請求の範囲】
【請求項１】
左右の縦板と、左右の縦板の上端部間に取付けられる天板と、左右の縦板の下端部間に取付けられる地板と、左右の縦板の下寄り前面側にて左右方向に延設される幕板とを有し、左寄りの上側部に上蝶番固定部が設けられ、同寄りの下側部に下蝶番固定部が設けられ、これら上蝶番固定部と下蝶番固定部によって前枠を回動可能に保持する遊技機の外枠であって、
前記幕板は、該幕板の前壁を構成する前壁部と、該幕板の後壁を構成する後壁部と、これら前壁部と後壁部の上端部間に形成された上面部とを備え、これら前壁部と後壁部と上面部との間に形成された隙間内に取付部材が配設されており、
前記下蝶番固定部は、前記幕板の上面部に当接される水平板部を有し、
前記水平板部が前記幕板の上面部を貫通する締結部によって前記取付部材と締結され、これによって前記下蝶番固定部が前記幕板に固定されていることを特徴とする遊技機の外枠。
【請求項２】
請求項１に記載の遊技機の外枠であって、
幕板が樹脂製またはアルミニウム製であることを特徴とする遊技機の外枠。
【請求項３】
請求項１または２に記載の遊技機の外枠であって、
下蝶番固定部は、水平板部の側縁に立設された垂直板部を一体に有し、その垂直板部が左の縦板に固定されていることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
従来、様々な外枠が知られており、例えば特許文献１に記載の遊技機の外枠が知られている。
特許文献１にかかる外枠は、左右の縦板と、左右の縦板の上端部間に取付けられる天板と、左右の縦板の下端部間に取付けられる地板を有している。左の縦板は、アルミニウム製であって、左の縦板を除く枠組み部材の少なくとも一つが合成樹脂製である。そして左の縦板の上側部と下側部に、前方に細く張出す上下二つの蝶着部が形成されており、これら蝶着部に前枠が回動可能に取付けられている。そして前枠には、遊技盤等が取付けられており、その重みの大部分が下側部の蝶着部によって支持されている。
【特許文献１】特開２００２−２８３３０号公報
【発明の開示】
【発明が解決しようとする課題】
【０００３】
しかし下側部の蝶着部は、アルミニウム製の左の縦板に一体に形成されているためにアルミニウム製であり、しかも縦板から片持ち梁状に延出していた。そのため下側部の蝶着部は、遊技盤等の重みを十分に支えることができない場合もあった。
そこで本発明は、前枠および遊技盤等の重さを十分に支え得る下蝶番固定部を備える遊技機の外枠を提供することを課題とする。
【課題を解決するための手段】
【０００４】
前記課題を解決するために本発明は、請求項に記載の通りの構成を備える遊技機の外枠であることを特徴とする。
請求項１に記載の発明によると、左右の縦板の下寄り前面側にて左右方向に延設される幕板を有している。幕板は、該幕板の前壁を構成する前壁部と、該幕板の後壁を構成する後壁部と、これら前壁部と後壁部の上端部間に形成された上面部とを備えている。そしてこれら前壁部と後壁部と上面部との間に形成された隙間内に取付部材が配設されている。下蝶番固定部は、幕板の上面部に当接される水平板部を有している。そして水平板部が幕板の上面部を貫通する締結部によって取付部材と締結され、これによって下蝶番固定部が幕板に固定されている。
【０００５】
したがって下蝶番固定部に前枠が載置されると、前枠に取付けられた遊技盤等の重みは、下蝶番固定部を介して幕板の上面部によって受け止められる。そのため遊技盤等の重みは、下蝶番固定部と幕板とによって安定良く支持され得る。
しかも下蝶番固定部は、幕板に直接取付けられるのではなく、幕板の上面部を貫通する締結部と、幕板に内設された取付部材とによって幕板の上面部に固定されている。そのため幕板が雌ねじ部を設けることのできない材質から形成されている場合であっても、下蝶番固定部は、幕板に対して安定良く固定され得る。
例えば、請求項２にかかる発明のように幕板が樹脂製あるいはアルミニウム製であっても下蝶番固定部は、該幕板に固定され得る。
【０００６】
請求項３に記載の発明によると、下蝶番固定部は、水平板部の側縁に立設された垂直板部を一体に有し、その垂直板部が左の縦板に固定されている。
したがって下蝶番固定部は、幕板に取付けられる水平板部と、縦板に固定される垂直板部とを有しているために、安定良く幕板および縦板に対して固定され得る。
【発明の効果】
【０００７】
本発明によると、下蝶番固定部に前枠が取付けられると、前枠に取付けられた遊技盤等の重みが下蝶番固定部を介して幕板の上面部によって受け止められる。したがって遊技盤等の重みが下蝶番固定部と幕板によって安定良く支持され得る。
【発明を実施するための最良の形態】
【０００８】
本発明の実施の形態を図１〜５にしたがって説明する。
パチンコ機（遊技機）は、図１に示すように遊技島に固定される外枠１と、外枠１に回動可能に支持される前枠２０を有している。
外枠１は、図１，２に示すようにアルミニウム製の左右の縦板３，４と、天板２と、地板５と、幕板６を有している。そして外枠１の左寄りの上側部に上蝶番固定部１１を有しており、左寄りの下側部に下蝶番固定部７を有している。そしてこれら上蝶番固定部１１と下蝶番固定部７とによって前枠２０が回動可能に取付けられている。
【０００９】
天板２は、左右の縦板３，４の上端部間に上蝶番固定部１１とコーナー部材１３を介して取付けられている。地板５は、左右の縦板３，４の下端部間にコーナー部材１２，１４を介して取付けられている。
幕板６は、図３に示すように地板５と一体成形されており、地板５が左右の縦板３，４の下端部間に取付けられることで、左右の縦板３，４の下寄り前面側に設けられている。そして幕板６は、図１，２に示すように左右の縦板３，４の下寄り前面側にて左右方向に延出している。
【００１０】
幕板６は、図３に示すように幕板６の前壁部を構成する前壁部６ｂと、後壁部を構成する後壁部６ｃと、これら前壁部６ｂと後壁部６ｃの上端部間に形成された上面部６ａを有している。
前壁部６ｂは、地板５の最前端から上方に延出し、後壁部６ｃは、地板５の最前端よりも後側から上方に延出している。そして前壁部６ｂと後壁部６ｃの間には、これらを架橋する架橋部６ｄが形成されている。
【００１１】
上面部６ａは、図３に示すように前側の張出し片６ａ１と後側の張出し片６ａ２と貫通部６ａ３とを有している。
前側の張出し片６ａ１は、前壁部６ｂの上端部から後方に張出しており、後側の張出し片６ａ２は、後壁部６ｃの上端部から前方に張出している。これら張出し片６ａ１，６ａ２は、幕板６の左右全長に渡って延出しており、幕板６の補強リブにもなっている。
貫通部６ａ３は、図５に示すように張出し片６ａ１，６ａ２の間に形成されており、幕板６の左右全長に渡って延出している。
【００１２】
下蝶番固定部７は、鋼材などの金属板材から形成されており、図４に示すように水平板部７ａと垂直板部７ｂ，７ｃを一体に有している。
水平板部７ａには、複数（例えば二つ）の取付孔７ａ１，７ａ２と回動支持部７ｄが設けられている。
取付孔７ａ１，７ａ２は、水平板部７ａを厚み方向に貫通する貫通孔であって、水平板部７ａの前後中央寄りにて左右に並設されている。
回動支持部７ｄは、水平板部７ａの前寄りに設けられており、水平板部７ａから上方に突出している。そして回動支持部７ｄには、図１に示すように前枠２０の下側部が回動可能に取付けられる。
【００１３】
二つの垂直板部７ｂ，７ｃは、水平板部７ａの左側縁に立設されている。垂直板部７ｂは、水平板部７ａの左側縁中央から上方に延出しており、垂直板部７ｃは、水平板部７ａの左側縁後方から上方に延出している。そして垂直板部７ｂ，７ｃには、取付ねじ１６の足部が挿通される取付孔７ｂ１，７ｂ２，７ｃ１が形成されている。
【００１４】
下蝶番固定部７を幕板６の上面部６ａに取付けるための取付部材８が、図４に示すように幕板６に内設される。詳しくは、幕板６の前壁部６ｂと後壁部６ｃと上面部６ａと架橋部６ｄとの間に形成された隙間６ｅ内に板状の取付部材８が挿入される。
取付部材８には、複数（例えば二つ）の雌ねじ部８ａ，８ｂが形成されており、雌ねじ部８ａ，８ｂに取付ねじ１５，１５の足部が螺合される。
【００１５】
下蝶番固定部７を左の縦板３に取付けるための取付部材９が図４に示すように左の縦板３の左側に設置される。取付部材９は、Ｌ字板状であって、複数（例えば三つ）の雌ねじ部９ａ〜９ｃを有しており、雌ねじ部９ａ〜９ｃに取付ねじ１６，１６，１６の足部が螺合される。
【００１６】
以下に、下蝶番固定部７を幕板６と左の縦板３とに固定する方法について説明する。
先ず、下蝶番固定部７と取付部材８を取付ねじ１５によって一体にする。具体的には、取付ねじ１５の足部を下蝶番固定部７の水平板部７ａの取付孔７ａ１，７ａ２に挿通し、足部の先端部を取付部材８の雌ねじ部８ａ，８ｂに軽く螺合させる。これにより下蝶番固定部７と取付部材８とを一体にする。
次に、図５に示すように下蝶番固定部７を幕板６の上面部６ａの上側、取付部材８を幕板６の上面部６ａの下側になるように、取付ねじ１５の足部を幕板６の貫通部６ａ３に挿入する。これにより下蝶番固定部７を幕板６に対して掛け止める（仮取付け状態）。
【００１７】
この幕板６を左右の縦板３，４に対して組付けた状態において（図１，２参照）、下蝶番固定部７を左側へスライドさせる。下蝶番固定部７をスライドさせる場合は、必要に応じて取付ねじ１５の締付けトルクを緩める。そして取付ねじ１５の足部を幕板６の貫通部６ａ３に沿って移動させて下蝶番固定部７を左側へスライドさせる。
なお左の縦板３は、図４に示すように枠内側面にリブ３ｄを有し、リブ３ｄは、縦板３の幅方向略中央において上下方向に延出している。これに対して下蝶番固定部７は、二つの垂直板部７ｂ，７ｃを有し、垂直板部７ｂがリブ３ｄの前側に配設され、垂直板部７ｃがリブ３ｄの後側に配設される。したがって垂直板部７ｂ，７ｃは、左の縦板３に対して面接する。
なお垂直板部７ｂ，７ｃは、どちらも図５に示すように幕板６よりも後側（図５の右側）に位置している。そのため垂直板部７ｂ，７ｃは、下蝶番固定部７が幕板６を中心に傾動することを規制する。
【００１８】
次に、図４に示すように左の縦板３の左面に取付部材９を配設する。そしてその状態で、取付ねじ１６の足部を下蝶番固定部７の取付孔７ｂ１，７ｂ２，７ｃ１に挿入し、続いて左の縦板３に形成された貫通孔３ａ〜３ｃに挿入し、足部の先端部を取付部材９の雌ねじ部９ａ〜９ｃに螺合させる。これにより下蝶番固定部７を左の縦板３に固定する。
そして最後に、取付ねじ１５を締付けて下蝶番固定部７を幕板６に対して固定する。
【００１９】
軸受部１１ａは、図１，２に示すように左上側の上蝶番固定部１１に一体に設けられている。また軸受部１１ａは、上蝶番固定部１１の前端から前方に鉤針状に延出しており、前枠２０の上側部を回動可能に支持する。
【００２０】
前枠２０は、図１に示すように中央に開口部２０ａを有する板材であって、図示省略の遊技盤、各種の機構装置、部品類が取付けられる。
前枠２０の一側縁下側部には、下蝶番固定部７に回動可能に取付けられる下蝶番可動部２１が取付けられている。一方、前枠２０の一側縁上側部には、上蝶番固定部１１の軸受部１１ａに回動可能に掛け止められる上蝶番可動部２２が取付けられている。したがって前枠２０は、外枠１に回動可能に保持される。
【００２１】
以上のようにして外枠１が形成されている。
すなわち幕板６は、図４に示すように前壁部６ｂと後壁部６ｃと上面部６ａとを備えている。そしてこれら前壁部６ｂと後壁部６ｃと上面部６ａとの間に形成された隙間６ｅ内に取付部材８が配設されている。下蝶番固定部７は、幕板６の上面部６ａに当接される水平板部７ａを有している。そして水平板部７ａが幕板６の上面部６ａを貫通する取付ねじ（締結部）１５によって取付部材８と締結され、これによって下蝶番固定部７が幕板６に固定されている。
【００２２】
したがって下蝶番固定部７に前枠２０が載置されると、前枠２０に取付けられた遊技盤等の重みは、下蝶番固定部７を介して幕板６の上面部６ａによって受け止められる。そのため遊技盤等の重みは、下蝶番固定部７と幕板６とによって安定良く支持され得る。
しかも下蝶番固定部７は、幕板６に直接取付けられるのではなく、幕板６の上面部６ａを貫通する取付ねじ（締結部）１５と、幕板６に内設された取付部材８とによって幕板６の上面部６ａに固定されている。そのため幕板６が雌ねじ部を設けることのできない材質から形成されている場合であっても、下蝶番固定部７は、幕板６に対して安定良く固定され得る。
例えば、本形態のように幕板６がアルミニウム製であっても下蝶番固定部７は、幕板６に固定され得る。
【００２３】
また下蝶番固定部７は、図３に示すように水平板部７ａの左側縁に立設された垂直板部７ｂ，７ｃを一体に有し、垂直板部７ｂ，７ｃが左の縦板３に固定されている。
したがって下蝶番固定部７は、幕板６に取付けられる水平板部７ａと、縦板３に固定される垂直板部７ｂ，７ｃとを有しているために、安定良く幕板６および縦板３に対して固定され得る。
【００２４】
（他の実施の形態）
本発明は、上記の実施の形態に限定されず、以下の形態であっても良い。
（１）すなわち上記の実施の形態にかかる幕板および地板、天板、縦板は、アルミニウム製であった。しかしこれらが樹脂製であっても良い。あるいは幕板が樹脂製またはアルミニウム製であって、残りが他の材料から形成される形態であっても良い。
（２）上記の実施の形態にかかる下蝶番固定部７は、図５に示すように取付ねじ１５によって取付部材８と締結されていた。しかし取付ねじ１５に代えて、下蝶番固定部７から下方に延出する雄ねじ部（締結部）が下蝶番固定部７に一体に設けられ、その雄ねじ部を下蝶番固定部７の上側から下方に貫通させ、その雄ねじ部の先端に取付部材８に代えてナットが取付けられる形態であっても良い。
あるいは取付部材８から上方に延出する雄ねじ部（締結部）が取付部材８に一体に設けられ、その雄ねじ部を下蝶番固定部７の下側から貫通させ、その雄ねじ部の先端部にナットが取付けられる形態であっても良い。
（３）上記の実施の形態にかかる幕板は、地板と一体成形されていた。しかし幕板が地板と別体に成形され、地板と別個に左右の縦板に取付けられる形態であっても良い。
【図面の簡単な説明】
【００２５】
【図１】外枠の前側からの斜視図である。
【図２】外枠の後側からの斜視図である。
【図３】下蝶番固定部近傍の外枠の一部断面斜視図である。
【図４】下蝶番固定部、取付部材、幕板及び地板の一部と左の縦板一部の斜視図である。
【図５】図３のＡ−Ａ線断面矢視図である。
【符号の説明】
【００２６】
１…外枠
２…天板
３，４…縦板
５…地板
６…幕板
６ａ…上面部
６ｂ…前壁部
６ｃ…後壁部
６ｄ…架橋部
６ａ１，６ａ２…張出し片
６ａ３…貫通部
６ｅ…隙間
７…下蝶番固定部
７ａ…水平板部
７ｂ，７ｃ…垂直板部
７ｄ…回動支持部
８，９…取付部材
１１…上蝶番固定部
１１ａ…軸受部
１５…取付ねじ（締結部）
２０…前枠
【図１】
2006326049.tif 000003
【図２】
2006326049.tif 000004
【図３】
2006326049.tif 000005
【図４】
2006326049.tif 000006
【図５】
2006326049.tif 000007